(57)【要約】【課題】建築用パネルどうしの接続部に隙間が生じたり、各建築用パネルの端部が直線性を保って全体としての寸法調整を容易に行える接続構造を提供する。【解決手段】建築用パネルの左右側面部にその長さ方向に沿って、上部エッジ部３１と下部エッジ部３２とを含む係合用凹溝３を設け、隣接する該建築用パネルのそれぞれの係合用凹溝３を接続部材Ｃによって接続する構造であって、該接続部材Ｃは断面略Ｖ字形の目地部材２と上フランジ１１と下フランジ１２とウエブ１３とからなる断面略Ｈ型ジョイナ１とから構成され、上記上フランジ１１は相対向する係合用凹溝３に嵌合し、上記下フランジ１２は相対向する下部エッジ部３２を支持し、相対向する上部エッジ部３１間に断面略Ｖ字形の目地部材２を嵌入してなる建築用パネルの接続構造。【選択図】図２
2010024735.tif 000002
【特許請求の範囲】
【請求項１】
建築用パネルの左右側面部にその長さ方向に沿って、上部エッジ部と下部エッジ部とを含む係合用凹溝を設け、隣接する該建築用パネルのそれぞれの係合用凹溝を接続部材によって接続する構造であって、該接続部材は断面略Ｖ字形の目地部材と上フランジと下フランジとウエブとからなる断面略Ｈ型ジョイナとから構成され、上記上フランジは相対向する係合用凹溝に嵌合し、上記下フランジは相対向する下部エッジ部を支持し、相対向する上部エッジ部間に断面略Ｖ字形の目地部材を嵌入してなる建築用パネルの接続構造。
【請求項２】
上記断面略Ｖ字形の目地部材と、上フランジと下フランジとウエブとからなる断面略Ｈ型ジョイナとから構成される接続部材が弾性を有する材料から形成されたものである請求項１に記載の建築用パネルの接続構造。
【請求項３】
上記断面略Ｖ字形の目地部材のＶ字突出片の上端が直立片部とされてなる請求項１に記載の建築用パネルの接続構造。
【請求項４】
上記断面略Ｖ字形の目地部材と断面略Ｈ型ジョイナとが一体的に形成されてなる請求項１に記載の建築用パネルの接続構造。
【発明の詳細な説明】
【技術分野】
【０００１】
本願発明は建築用パネルに関し、さらに詳しくは、建築用パネル本体の側面部に、その長さ方向に設けられる係合用凹溝と、隣接する建築用パネル本体の側面部の長さ方向に設けられる係合用凹溝とを接続する構造に関するものである。
【背景技術】
【０００２】
従来、建築用パネルとしては、合板、集成材、中密度繊維板（ＭＤＦ）、パーティクルボード等、種々の木質基材そのもの、あるいはそれらに突き板を貼着したり、木目模様の化粧紙を接着する等、表面化粧したもの、または、ＷＰＢ（ウッドプラスチックボード）を表面化粧したもの等、種々の基材が建築用パネルとして広く利用されている。
上記建築用パネルは正方形または長方形に形成され、複数枚の建築用パネルを接続部材を用いて接続し、例えば、フローリング用、間仕切り壁用あるいは外装材用にパネルシステムとして利用されている。通常、上記パネルシステムは、建築用パネルの本体左右側面部に係合用凹溝をその長さ方向に設け、隣接する建築用パネルの係合用凹溝どうしを接続部材で接続して複数の建築用パネルを連結し、例えば、床面のフローリングに用いられる。
【０００３】
本願図３は、隣接するフローリング材を断面コ字形の目地部材と断面略Ｈ型ジョイナとからなる公知の接続部材Ｄによって接続した状態を示す説明図である。本願図３に示されているように、従来の角形で直線的な形状を有する定尺の接続部材を用いたとき、フローリング材のカット誤差、あるいは現場の寸法誤差等の理由により、上記断面コ字形の目地部材が所定の幅で納まらず、本願図３に白抜き矢印で示すように隙間が生じることがある。
このように、従来の接続部材で複数枚の建築用パネルを接続して敷設したとき、パネルのカット誤差、現場の施工誤差等により、接続部に上記した隙間が空いたり、各パネルの端部が直線性を保って敷設されず、全体としての寸法調整が困難になるという問題が生じる。
【０００４】
一方、特開平９−５３２８０号公報には、建物の外壁部の目地を施工する場合において、目地幅のバラツキが大きくても施工可能な目地材が提案されている。
【０００５】
すなわち、上記公報にはその図１に示されているように、断面がＵ字形あるいはＶ字形に形成された本体と、該本体の外側に設けられた防水性シーリング材と、前記本体の開口端部間に架橋された架橋部材とよりなり、前記本体と架橋部材のうち少なくとも一方がばね材で形成されていることを特徴とし、防水性シーリング材が、本体および架橋部材のうち少なくとも一方のばね材で、壁面に押圧され目地を確実に密封する目地材が開示されている。そして、目地幅のバラツキが大きくても施工可能であり、シーリング材が壁面に常に押圧されているので常に気密・水密性で保持され、外壁側面が雨水等を吸収してカビが発生したり、漏水したりすることがないとの効果が述べられている。
【特許文献１】特開平９−５３２８０号公報
【発明の開示】
【発明が解決しようとする課題】
【０００６】
本願発明は、上記背景技術に鑑みてなしたものであり、その目的は、建築用パネル、例えば、表面を突き板で化粧した化粧合板を床面に敷設してフローリングを行う場合、化粧合板の寸法誤差や現場の施工誤差等により、化粧合板どうしの接続部に隙間が生じたり、各々の化粧合板の端部が直線性を保って配設されずに全体としての寸法調整が困難であるときに、これらの問題点を解決して簡単に、見映え良く、施工することのできる建築用パネルの接続構造を提供することである。
【課題を解決するための手段】
【０００７】
上記課題を解決するために、本願請求項１に記載の発明に係る建築用パネルの接続構造は、建築用パネルの左右側面部にその長さ方向に沿って、上部エッジ部と下部エッジ部とを含む係合用凹溝を設け、隣接する該建築用パネルのそれぞれの係合用凹溝を接続部材によって接続する構造であって、該接続部材は断面略Ｖ字形の目地部材と上フランジと下フランジ１２とウエブ１３とからなる断面略Ｈ型ジョイナ１とから構成され、上記上フランジは相対向する係合用凹溝に嵌合し、上記下フランジは相対向する下部エッジ部を支持し、相対向する上部エッジ部間に断面略Ｖ字形の目地部材を嵌入してなることを特徴としている。
【０００８】
本願請求項２に記載の発明は、上記請求項１に記載の建築用パネルの接続構造において、上記断面略Ｖ字形の目地部材と上フランジと下フランジとウエブとからなる断面略Ｈ型ジョイナとから構成される接続部材が弾性を有する材料から形成されてなることを特徴としている。
上記弾性を有する材料としては、例えば、ステンレススティール等の金属、ポリ塩化ビニル樹脂、ポリウレタン樹脂、エチレン−酢酸ビニル共重合体、低密度ポリエチレン、ポリプロピレン等のプラスチック材料等をあげることができる。
【０００９】
本願請求項３に記載の発明は、上記請求項１に記載の建築用パネルの接続構造において、上記断面略Ｖ字形の目地部材のＶ字突出片の上端が直立片部とされていることを特徴としている。
【００１０】
本願請求項４に記載の発明は、上記請求項１に記載の建築用パネルの接続構造において、上記断面略Ｖ字形の目地部材と断面略Ｈ型ジョイナとが一体的に形成されてなることを特徴としている。
【発明の効果】
【００１１】
本願請求項１記載の発明に係る建築用パネルの接続構造においては、隣接する建築用パネルを接続する接続部材が断面略Ｖ字形の目地部材と断面略Ｈ型ジョイナとからなり、隣接する建築用パネルどうしの接続部に断面略Ｖ字形の目地部材を嵌入してなるため、例えば、建築用パネルをフローリング材とした場合に、フローリング材自体の寸法誤差や現場の施工誤差等により、床面に敷設したフローリング材とフローリング材との接続部に隙間が生じることなくＶ字形の開先部が納まり、見映えよく施工できる。また、全体としての寸法調整を容易に行え、作業性よく施工することができる。
【００１２】
本願請求項２記載の発明に係る建築用パネルの接続構造においては、特に、上記断面略Ｖ字形の目地部材と断面略Ｈ型ジョイナとからなる接続部材とが弾性を有する材料から形成されているため、例えば、フローリング材とフローリング材との接続部が一定の幅でない場合、弾性材料から形成された上記断面略Ｖ字形の目地部材は、目地幅に応じて弾性的に変位可能であるため、隙間を埋めるように目地に嵌入されて、外観性よくフローリングの施工を行うことができる。
【００１３】
本願請求項３記載の発明に係る建築用パネルの接続構造においては、特に、上記断面略Ｖ字形の目地部材のＶ字突出片の上端を直立片部とすることにより、フローリング材とフローリング材との接続部に嵌入された目地部材のＶ字突出片が上端の直立片部で面接触するため、さらにぴったりと隙間を生じることなく納まり、見映えよく、かつ、全体としての寸法調整を容易に行うことができる。
【００１４】
本願請求項４記載の発明に係る建築用パネルの接続構造においては、特に、上記断面略Ｖ字形の目地部材と断面略Ｈ型ジョイナとが一体的に形成されているため、フローリング材とフローリング材との接続および目地部材の嵌入という操作を１回の作業で行うことができる。
【発明を実施するための最良の形態】
【００１５】
以下、本願発明に係る建築用パネルの接続構造の実施形態について図面を参照して詳細に説明する。本実施形態においては、建築用パネルとして、合板に突き板を貼着して木目模様に表面化粧したフローリング材に、本願発明に係る接続構造を適用した場合について述べる。
【００１６】
図１は、隣接するフローリング材Ａとフローリング材Ｂとを断面略Ｖ字形の目地部材２と断面略Ｈ型ジョイナ１とからなる接続部材Ｃによって接続した状態を示す断面図である。図１に示すように、上記断面略Ｈ型ジョイナ１は上フランジ１１と下フランジ１２と両者を結合するウエブ１３とからなるとともに、フローリング材Ａとフローリング材Ｂの本体左右側面部には、各々係合用凹溝３が長さ方向に穿って設けられ、それぞれ上部エッジ部３１と下部エッジ部３２とを含んで形成されている。
【００１７】
上記断面略Ｈ型ジョイナ１の上フランジ１１は上記フローリング材Ａ、Ｂの側面部に設けられた相対向する係合用凹溝３に嵌合するとともに、下フランジ１２は、フローリング材Ａ、Ｂの相対向する下部エッジ部３２を弾性的に支持固定し、このようにして、フローリング材Ａとフローリング材Ｂとは互いに結合される。
【００１８】
一方、フローリング材自体のカット誤差や現場の施工誤差等により、フローリング材Ａの上部エッジ部３１とフローリング材Ｂの上部エッジ部３１との間、すなわち目地幅は常に一定とはならず多少のバラツキが生じる。ここで、弾性材料から形成された断面略Ｖ字形の目地部材２は、上部エッジ部３１どうしの接続部の間に嵌入されるが、目地部材２は目地幅に応じて弾性的に変位可能であるため、隙間が生じることなく嵌入され、見映えよくフローリングを施工することができる。
【００１９】
図１に示した実施形態では、断面略Ｖ字形の目地部材２の基底部２１は平坦とされるとともに、該目地部材２は断面略Ｈ型ジョイナ１とは別部材とされているが、これらを接着、ビス留め等の手段により一体的に形成してもよい。このとき、フローリング材Ａとフローリング材Ｂとの接続および目地部材の嵌入という操作を１回の作業で行うことができる。
【００２０】
図２は、本実施形態の変形例を示す断面図である。図２に示されているように、本変形例においては、接続部材Ｃを構成する上記断面略Ｖ字形の目地部材２のＶ字突出片の上端が直立片部２２とされている。このようにすることにより、直立片部２２がフローリング材Ａ、Ｂの上部エッジ部３１に面で接触するため、さらにぴったりと隙間を生じることなく納まり、見映えよく、かつ、全体としての寸法調整をさらに容易に行うことができる。
【００２１】
なお、上記実施形態は建築用パネルとして、フローリング材を用いた場合について述べたが、フローリング材のみならず、間仕切り用パネル等についても適用可能である。このように本願発明に係る建築用パネルの接続構造は設計変更自在であり、特許請求の範囲を逸脱しない限り、いずれの場合も本願発明の技術的範囲に属する。
【図面の簡単な説明】
【００２２】
【図１】隣接するフローリング材を断面略Ｖ字形の目地部材と断面略Ｈ型ジョイナとからなる本願発明に係る接続部材によって接続した状態を示す断面図。
【図２】隣接するフローリング材を断面略Ｖ字形の変形目地部材と断面略Ｈ型ジョイナとからなる本願発明に係る接続部材によって接続した状態を示す断面図。
【図３】隣接するフローリング材を断面コ字形の目地部材と断面略Ｈ型ジョイナとからなる従来の接続部材によって接続した状態を示す説明図。
【符号の説明】
【００２３】
Ａ      フローリング材
Ｂ      フローリング材
Ｃ      接続部材
Ｄ      公知の接続部材
１      断面略Ｈ型ジョイナ
１１    上フランジ
１２    下フランジ
１３    ウエブ
２      目地部材
２１    基底部
２２    直立片部
３      係合用凹溝
３１    上部エッジ部
３２    下部エッジ部
【図１】
2010024735.tif 000003
【図２】
2010024735.tif 000004
【図３】
2010024735.tif 000005